【事件の表示】
　特願２０００−５４３９５２「電力消費の少ないモードを有するディスプレイ制御デバイス」拒絶査定不服審判事件〔平成１１年１０月２１日国際公開、ＷＯ９９／５３４７２、平成１４年　４月１６日国内公表、特表２００２−５１１６０８〕について、次のとおり審決する。
【結　論】
　本件審判の請求は、成り立たない。
【理　由】
１．手続きの経緯
　本願は、平成１１年４月１４日を国際出願日（優先権主張；１９９８年４月１５日、同年５月１３日、イギリス）とする出願であって、平成１６年９月６日付け（発送日；同月１４日）で拒絶査定がなされ、これに対して、同年１２月１０日に拒絶査定に対する審判請求がなされるとともに、平成１７年１月１１日付けで手続補正がなされたものである。
　
２．平成１７年１月１１日付けの手続補正についての補正却下の決定
［補正却下の決定の結論］
　平成１７年１月１１日付けの手続補正を却下する。
［理由］
（１）補正の内容
　本件補正は、補正前の特許請求の範囲、
「【請求項１】　ディスプレイ制御デバイスと、ディスプレイと、１つ又はそれ以上のフォトディテクタを含有するディスプレイユニットにおいて、
　ディスプレイ制御ユニット（当審注；「ディスプレイ制御デバイス」の誤記と認められるので、以下そのように読み替える。）が、
　可視的表示パターンを規定する表示データを受け取るための入力手段と、
　前記表示データを処理して前記ディスプレイのピクセルを制御するための制御データを生成するとともに、前記表示データにより規定されたパターンを表示するようにピクセルを制御する第１の、標準動作モードと、前記パターン表示を維持しつつ減少した電力消費で動作するようにディスプレイの１組のピクセルを制御する第２の、電力節約モードを有する処理手段と、
　前記ピクセルに接続して制御データを伝送するための手段と、を備え、
　前記処理手段は前記１つ又はそれ以上のフォトディテクタに応答して、標準動作モードに比較して１組のピクセルの輝度が減少する電力節約モードに入り、
　前記フォトディテクタがディスプレイ上の入射した光の表示を検出するように構成され、前記フォトディテクタが共通基板上のディスプレイに位置しフォトディテクタが前記ディスプレイのピクセルと共に１つ又はそれ以上の材料の層の中に組み込まれており、
　前記処理手段はディスプレイ上に入射した光の増加に応答して電力節約モードから標準動作モードに入る
ことを特徴とするディスプレイユニット。
　【請求項２】　１組のピクセルはディスプレイの全てのピクセルを含む請求項１に記載
のディスプレイユニット。
　【請求項３】　１組のピクセルはディスプレイの全領域の一部のみを占めている請求項１に記載のディスプレイユニット。
　【請求項４】　１組のピクセルはディスプレイのユーザインターフェース領域に関連する請求項１に記載のディスプレイユニット。
　【請求項５】　１つ又はそれ以上のフォトディテクタがディスプレイの周辺に配置されている請求項１、３、４のいずれか１項に記載のディスプレイユニット。
　【請求項６】　ディスプレイのピクセルが発光材料を含む請求項１〜５のいずれか１項に記載のディスプレイユニット。
　【請求項７】　ディスプレイのピクセルが発光のための有機発光材料を含む請求項６に記載のディスプレイユニット。
　【請求項８】　ピクセルは直交するマトリックスに配置されている請求項６または７に記載のディスプレイユニット。
　【請求項９】　ピクセルが薄膜トランジスタ制御回路を含む請求項６または８に記載のディスプレイユニット。
　【請求項１０】　ディスプレイがパッシブマトリックスディスプレイである請求項５〜９のいずれか１項に記載のディスプレイユニット。
　【請求項１１】　１つ又はそれ以上のフォトディテクタがディスプレイのピクセルである請求項１〜１０のいずれか１項に記載のディスプレイユニット。 　　　　　　　　　
　【請求項１２】　請求項１〜１１に記載のディスプレイユニットをを備えるバッテリ電源供給型電子デバイス。」
　を、
「【請求項１】　
発光ディスプレイの
発光素子を有する
　ディスプレイ制御ユニット（当審注；「ディスプレイ制御デバイス」の誤記と認められるので、以下そのように読み替える。）が、
　可視的表示パターンを規定する表示データを受け取るための入力手段と、
　前記表示データを処理して前記ディスプレイのピクセルを制御するための制御データを生成するとともに、前記表示データにより規定されたパターンを表示するようにピクセルを制御する第１の、標準動作モードと、前記パターン表示を維持しつつ減少した電力消費で動作するようにディスプレイの１組のピクセルを制御する第２の、電力節約モードを有する処理手段と、
　前記ピクセルに接続して制御データを伝送するための手段と、を備え、
　前記処理手段は前記１つ又はそれ以上のフォトディテクタに応答して、標準動作モードに比較して１組のピクセルの輝度が減少する電力節約モードに入り、
　前記フォトディテクタがディスプレイ上の入射した光の表示を検出するように構成され、前記フォトディテクタが、
ディスプレイ上において、前記ディスプレイのピクセルと共に共通基板上に位置し、１つ又は複数の材料層において、前記ディテクタが、ディスプレイのピクセルと共に各材料層を分け合って構成しており、
　前記処理手段はディスプレイ上に入射した光の増加に応答して電力節約モードから標準動作モードに入る
ことを特徴とするディスプレイユニット。
　【請求項２】　１組のピクセルはディスプレイの全てのピクセルを含む請求項１に記載のディスプレイユニット。
　【請求項３】　１組のピクセルはディスプレイの全領域の一部のみを占めている請求項１に記載のディスプレイユニット。
　【請求項４】　１組のピクセルはディスプレイのユーザインターフェース領域に関連する請求項１に記載のディスプレイユニット。
　【請求項５】　１つ又はそれ以上のフォトディテクタがディスプレイの周辺に配置されている請求項１、３、４のいずれか１項に記載のディスプレイユニット。
　【請求項６】　ディスプレイのピクセルが発光材料を含む請求項１〜５のいずれか１項に記載のディスプレイユニット。
　【請求項７】　ディスプレイのピクセルが発光のための有機発光材料を含む請求項６に記載のディスプレイユニット。
　【請求項８】　ピクセルは直交するマトリックスに配置されている請求項６または７に記載のディスプレイユニット。
　【請求項９】　ピクセルが薄膜トランジスタ制御回路を含む請求項６または８に記載のディスプレイユニット。
　【請求項１０】　ディスプレイがパッシブマトリックスディスプレイである請求項５〜９のいずれか１項に記載のディスプレイユニット。
　【請求項１１】　１つ又はそれ以上のフォトディテクタがディスプレイのピクセルである請求項１〜１０のいずれか１項に記載のディスプレイユニット。
　【請求項１２】　請求項１〜１１に記載のディスプレイユニットを備えるバッテリ電源供給型電子デバイス。」
　と補正する内容を含むものである。
　なお、アンダーラインは、補正箇所を示すために請求人が付したものである。
　
（２）補正の目的の適合性
　上記補正は、補正前の請求項１に記載した発明を特定するために必要な事項である「ディスプレイ」について、「発光ディスプレイ」、「発光素子を有するディスプレイ」として限定を付加するとともに、「フォトディテクタがディスプレイのピクセルと共に１つ又はそれ以上の材料の層の中に組み込まれ」る点について、「１つ又は複数の材料層において、ディテクタが、ディスプレイのピクセルと共に各材料層を分け合って構成」との限定を付加して、補正後の請求項１とし、補正後の請求項１を直接的又は間接的に引用する請求項２ないし１２についても、同様の限定が付加されているものである。したがって、上記手続補正は、特許法第１７条の２第４項第２号に規定する特許請求の範囲の減縮を目的とするものと認められる。
　
（３）独立特許要件
　そこで、本件補正後の請求項１に係る発明（以下、「本願補正発明」という。）が、特許出願の際独立して特許を受けることができるものであるか（特許法第１７条の２第５項において準用する同法第１２６条第５項の規定に適合するか）について、以下検討する。
　
（３−１）引用刊行物 
（３−１−１）刊行物１
　原査定の拒絶の理由に引用された本願の優先権主張の日前に頒布された刊行物である特開平３−２８８８８５号公報（以下、「刊行物１」という。）には、図面とともに、次の事項が記載されている。
１ａ．「バックライト付き表示装置を有する端末装置のバックライト明るさ制御回路であって、前記端末装置の周囲の明るさを検出する検出手段と、前記検出手段の検出結果に応じて前記バックライトへの供給電圧を可変するよう制御する制御手段とを設けたことを特徴とするバックライト明るさ制御回路。」（「特許請求の範囲」）
　
１ｂ．「本発明はバックライト明るさ制御回路に関し、特にハンディターミナル等に用いられるＥＬ（Ｅｌｅｃｔｒｏｌｕｍｉｎｅｓｃｅｎｃｅ）バックライトの明るさ制御回路に関する。・・・従来、この種のＥＬバックライトにおいては、利用者のマニュアル操作により点灯および消灯、あるいは明るさの調整が実施されていた。このような従来のＥＬバックライトでは、・・・その明るさの調整も利用者のマニュアル操作により実施され、一番明るい状態が明るい所でも点灯していることが判るようにある程度明るく設定されているため、周囲が暗くても一番明るい状態に設定された場合には必要以上に明るくなり、無駄な電力が消費されるという欠点がある。・・・本発明は上記のような従来のものの欠点を除去すべくなされたもので、・・・消費電力を節減することができるバックライト明るさ制御回路の提供を目的とする。」（１ページ左下欄下から６行〜右下欄１８行）
　
１ｃ．「第１図は本発明の一実施例の構成を示すブロック図である。図において、光検出器１から出力された周囲光量に相当する信号はアンプ２を介してコンパレータ３〜７へ夫々入力される。各コンパレータ３〜７の他方の入力には、基準電圧発生回路８で発生された基準電圧Ｖ０が抵抗Ｒ０により分圧された電圧Ｖ１〜Ｖ４が夫々入力される。・・・各コンパレータ３〜７の出力Ｃ３〜Ｃ７はＥＬ（Ｅｌｅｃｔｒｏｌｕｍｉｎｅｓｃｅｎｃｅ）電圧発生回路９の中でエンコードされ、ＥＬ電圧発生回路９からＥＬバックライト１０の点灯電圧として出力される。ここで、ＥＬバックライト１０は図示せぬＬＣＤ（液晶ディスプレイ）の裏側に設けられている。」（２ページ左上欄１０行〜右上欄９行）
　
１ｄ．「第３図は第１図のコンパレータ３〜７の入力電圧とＥＬバックライト１０の明るさとの関係を示す図である。・・・コンパレータ７だけがオンとなっているとき、すなわち周囲が暗いときにはＥＬ電圧発生回路９の出力も低くなり、コンパレータ６，５，４各々がオンになると、すなわち周囲が明るくなるにつれて段階的にＥＬ電圧発生回路９の出力電圧が高くなる。・・・周囲の明るさに対応してＥＬバックライト１０の明るさが制御されるので、周囲が暗いときにＥＬバックライト１０を必要以上に明るくすることがなくなり、消費電力を節減することができる。」（２ページ左下欄７行〜右下欄１１行）
　
（３−１−２）刊行物２
　原査定の拒絶の理由に引用された本願の優先権主張の日前に頒布された刊行物である特開平８−１７９７２２号公報（以下、「刊行物２」という。）には、図面とともに、次の事項が記載されている。
２ａ．「【請求項１】　電界放射カラーディスプレイ装置であって、
　前記装置を通常電力消費モードと低減電力消費モードとの間に切り替える手段と、
　前記装置が前記低減電力消費モードにあるときは、表示特性を単色表示に変更する手段と、を備える、電界放射カラーディスプレイ装置。」（【特許請求の範囲】）
　
２ｂ．「【０００１】
【発明の属する技術分野】この発明は、携帯用電界放射平板カラーディスプレイ装置に関し、より詳しくは、この種の装置を低減した電力消費で選択的に動作させて、携帯用ディスプレイ装置が電池で動作する時間を延ばすための構造と方法に関する。」
　
（３−１−３）刊行物３
　原査定の拒絶の理由に引用された本願の優先権主張の日前に頒布された刊行物である特開平５−８０１０１号公報（以下、「刊行物３」という。）には、図面とともに、次の事項が記載されている。
３ａ．「【請求項２】　片面に各々所定の形状に形成した導体電極を有する２枚の絶縁性基板のうち少なくとも一方の基板及び電極は光透過性を有し、一方の基板上の電極は電気的に独立で比較的微少な単位電極に分割され、かつ各々の電極毎に非晶質または多結晶シリコンを主材料とする薄膜トランジスタを有するものを、電極を内側にして対向させ、その間に液晶材料を封入し、該電極の間に前記薄膜トランジスタを介して所定の電圧を印加し前記液晶材料の偏光性を制御することによって、文字または画像を表示するようにした構造の液晶表示パネルの、画像表示のための有効表示部分以外の任意の部分に前記構造と同一の補助的な補助表示部分を形成し、前記補助表示部分の近傍に設けた光センサー（以下内部センサーと呼ぶ）によって、主画像表示部分とは独立に該補助表示部分の光出力を検出出来るようにした液晶表示パネルと、
　前記液晶表示パネルに表示する画像の電気的信号を入力する手段と、
　前記内部センサーにより得た画像の電気的信号と原画像の電気信号とを比べ、階調や色合いの違いを識別する識別手段と、
　前記識別手段により識別した光学的特性に基づいて、電気的入力信号を補正し、前記液晶パネルに表示された画像の光学的特性を原画像に近づける調整を行う調整手段と、
　前記補正が正しく行われた時の調整信号を半永久的に記憶しかつ任意に記憶した内容を更新できる記憶手段と、
　調整のための信号発生手段と、
　前記補助表示部分に調整のための信号を供給する手段と、
　調整のための信号によって制御された液晶透過光に比例する前記内部センサーからの出力信号を演算し、前記調整手段の出力調整信号に変換する演算制御手段と、
　前記調整手段を任意に制御し、任意に制御しないときは前記記憶手段に記憶された調整信号と前記内部センサー出力から変換された検出信号とを比較し、比較結果が常に一定の状態になるように前記電気的入力信号を補正するするための制御手段とを備えた画像表示装置であって、
　予め正しく補正された前記画像表示装置と試験信号とによって正しく校正された光センサーを有する調整制御装置を用い、前記試験信号を、調整前の前記画像表示装置に入力し、その光出力を前記光センサーに入力し、該光センサーの出力が前記予め正しく補正された画像表示装置の出力と等しくなるように前記調整前の画像表示装置の調整手段を制御し、正しく調整されたときの調整信号を前記記憶手段に記憶し直させることによって調整を終了する自動調整手段によって調整されることを特徴とする電子機器自動調整装置。
【請求項３】　前記液晶パネルの補助表示部分は液晶パネルに一体に形成された光センサーと補助表示部分の液晶を透過した光を反射または集光する手段を備え、前記光センサーは画像表示の電極を制御する前記薄膜トランジスタと同一の材料によって形成されたトランジスタまたは集積回路であることを特徴とする請求項２項記載の電子機器自動調整装置。」（【特許請求の範囲】）
　
３ｂ．「【００４９】・・・次に、内部センサー５の具体例について説明する。内部センサー５としては各種の実施例が考えられるが、図示するのはその一例である。図１５は液晶パネルのセル内部に受光素子を設けるようにしたものである。
【００５０】図には、受光素子一体形のＴＦＴ液晶セルの構成を示している。同図（Ｂ）は液晶セルの断面図であり、同図（Ａ）はセル上面からの透視図である。１１１、１２１は、ガラス基板であり、ガラス基板１２１の裏面には偏光フィルム１２２が設けられている。そしてガラス基板１２１の内面には、ゲート電極１２３が設けられ、このゲート電極の上面及びガラス基板１２１の内面にはゲート絶縁膜１２４が設けられている。ゲート絶縁膜１２４の上でゲート電極１２３に対応した部分には、半導体１２５が設けられ、この半導体１２５の端部にドレイン１２６とソース１２７が形成されている。さらにドレイン１２６とソース１２７には、それぞれドレイン電極１２８、ソース電極１２９が設けられ、ドレイン電極１２８には透明画素電極１３０が接続されている。そしてドレイン電極１２８とソース電極１２９の間には、光遮蔽膜１３１が配置されている。
【００５１】一方、他方のガラス基板１１１の内面には、セルを区分するブラックマトリックス１１２が形成されるとともに、カラーフィルタ１１３が設けられ、これらを覆って透明電極１１４が形成されている。ガラス基板１１１の外側の表面には偏光フィルム１１５が設けられ、この外面には反射膜１１６が形成されている。上記の透明電極間には液晶材料を封入されている。また半導体素子部分は、非晶質または多結晶シリコンを主材料とする薄膜トランジスタを構成している。ゲート電極に電圧が印加されると、トランジスタが導通し、透明電極１３０と共通電極である透明電極１１４との間に、電圧が印加され液晶材料の偏光性が制御される。従って、画像表示して使用する場合は、このような液晶セルを多数設け、セルを選択的に制御することによって、文字または画像を表示することができる。
【００５２】ここで、図に示した液晶セルは、有効画面の外に位置するものである。そしてこのセルにおいては、中央部に、先の液晶駆動用の薄膜トランジスタ（ＴＦＴ）と略同じ工程で受光素子１４０が形成されている。
【００５３】反射膜１１６は、ガラス基板１２１側からの入射光を反射させ、受光素子１４０へ光を照射するためのものである。受光素子１４０は液晶駆動用の薄膜トランジスタと同様な構成ではあるが、液晶駆動用の透明画素電極と接続されていない。さらに、チャネルとなる半導体を光から遮蔽するための光遮蔽膜を有していない。
【００５４】このような構成から成る液晶セルに光を入射した際の光の経路について説明する。まず光は偏光フィルタ１２２をぬけ、ガラス基板１２１を通過する。ここで、光の一部は液晶駆動用の薄膜トランジスタを構成している半導体及び金属に遮られるが、光の大部分はゲート絶縁膜と透明画素電極を透過し、液晶に入射する。液晶に入射した光は透明電極、カラーフィルタ１１３、ガラス基板１１１、偏光フィルタ１１５をぬけて、反射膜１１６に到達し、反射・散乱をして受光素子１４０の半導体に達する。これにより受光素子１４０の電極には、光量に依存した電流が流れることになる。」
　
（３−２）対比・判断
　刊行物１の（３−１−１）の「１ａ．」乃至「１ｄ．」の記載から、刊行物１には、次の発明（以下、「刊行物１記載の発明」という。）が記載されているものと認められる。
「液晶ディスプレイ及びその裏側に設けられたＥＬバックライト１０からなる表示装置を有する端末装置において、前記端末装置の周囲の明るさを検出する光検出器１と、光検出器１の検出出力を弁別し、周囲が明るくなるにつれて段階的に高くなるような出力電圧を発生し、その出力電圧が前記ＥＬバックライト１０の点灯電圧として供給されるＥＬ電圧発生回路９を備え、それにより消費電力を節減することを特徴とする端末装置。」
　
　そこで、本願補正発明（前者）と上記刊行物１記載の発明（後者）とを対比する。
・後者の「液晶ディスプレイ」は、その裏側に設けられた「ＥＬバックライト１０」からの光の強度を液晶パネルで変調する方式のものであり、画面は、通常、画素（ピクセル）を単位としてマトリックス状に分割されていることから、「液晶ディスプレイ」と「ＥＬバックライト１０」とを組み合わせた表示装置は、前者の「発光ディスプレイ」及び「発光素子を有するディスプレイ」に相当する。
・後者の「光検出器１」は、前者の「１つ又はそれ以上のフォトディテクタ」に相当する。
・通常のＴＦＴ液晶の駆動方式を勘案すれば、後者の「端末装置」は、外部より供給される表示データを受け取り、ピクセルを制御するための制御データを生成し、各ピクセルに画像情報を書き込むためのソース駆動回路やゲート駆動回路に該制御データを供給する表示制御回路を備えているものと解される。そうすると、後者の「端末装置」は、前者の「ディスプレイ制御デバイス」の有する構成のうち、「可視的表示パターンを規定する表示データを受け取るための入力手段と、前記表示データを処理して前記ディスプレイのピクセルを制御するための制御データを生成するとともに、前記表示データにより規定されたパターンを表示するようにピクセルを制御する処理手段と、前記ピクセルに接続して制御データを伝送するための手段」に相当する構成を備えているものと認められ、また、後者の「端末装置」は、上記表示制御回路に加え、「ＥＬ電圧発生回路９」を備えていることから、前者の「処理手段は、１つ又はそれ以上のフォトディテクタに応答して、標準動作モードに比較して１組のピクセルの輝度が減少する電力節約モードに入り、ディスプレイ上に入射した光の増加に応答して電力節約モードから標準動作モードに入る」点と対比すると、上記相当関係も勘案すれば、「処理手段は、周囲光を検出するように構成された１つ又はそれ以上のフォトディテクタの検出出力を受け、周囲光の増減に応答してピクセルの輝度を増減させて消費電力を節減する」点で共通する。
・以上のことから、後者の「端末装置」は、前者の、発光ディスプレイのディスプレイ制御デバイスと、発光素子を有するディスプレイと、１つ又はそれ以上のフォトディテクタを含有する「ディスプレイユニット」に相当するものといえる。
　
　したがって、両者は、
「発光ディスプレイのディスプレイ制御デバイスと、発光素子を有するディスプレイと、１つ又はそれ以上のフォトディテクタを含有するディスプレイユニットにおいて、
　ディスプレイ制御デバイスが、
　可視的表示パターンを規定する表示データを受け取るための入力手段と、
　前記表示データを処理して前記ディスプレイのピクセルを制御するための制御データを生成するとともに、前記表示データにより規定されたパターンを表示するようにピクセルを制御する処理手段と、
　前記ピクセルに接続して制御データを伝送するための手段と、を備え、
　前記処理手段は、周囲光を検出するように構成された１つ又はそれ以上のフォトディテクタの検出出力を受け、周囲光の増減に応答してピクセルの輝度を増減させて消費電力を節減する
　ことを特徴とするディスプレイユニット。」
　の点の構成で一致し、以下の各点で相違する。
［相違点１］
  前者の処理手段が、「第１の、標準動作モードと、パターン表示を維持しつつ減少した電力消費で動作するようにディスプレイの１組のピクセルを制御する第２の、電力節約モードを有する」のに対し、後者には消費電力を節減する点は記載されているものの、電力節約モードへの切替については記載されていない点。
［相違点２］
　前者が、「フォトディテクタがディスプレイ上の入射した光の表示を検出するように構成され、前記フォトディテクタが、ディスプレイ上において、前記ディスプレイのピクセルと共に共通基板上に位置し、１つ又は複数の材料層において、前記ディテクタが、ディスプレイのピクセルと共に各材料層を分け合って構成」されているのに対し、後者には、この点が記載されていない点。
　
　そこで、上記各相違点について検討する。
［相違点１］について
　刊行物２には、ディスプレイ装置において、通常電力消費モードと低減電力消費モードとを切り替えることにより、表示特性を切り替えて消費電力の低減を図ることが示されており、刊行物１記載の発明と、表示特性を切り替えて消費電力の低減を図るという点で共通するものであるから、刊行物２に示される構成を刊行物１記載の発明に適用して相違点１に係る構成とすることは、当業者が格別の推考力を要することとは認められない。
［相違点２］について
　外光輝度に応じた発光輝度でＥＬパネル等の発光型表示パネルを駆動するために、外光輝度を検出する複数の光センサを表示パネルの周辺に配置することは、例えば、特開昭６３−２５０６９４号公報［「特許請求の範囲」に「発光型表示パネル面の外来入射光量を光センサで検出し、その出力をＡ／Ｄ変換し、そのデジタル出力に基づいて、前記外来入射光量に対する最適発光輝度を得るための電圧を発生させ、その電圧で前記発光型表示パネルを駆動するようにした発光型表示パネルの発光輝度の自動調節装置において、（ａ）発光型表示パネルの複数の位置に対応して設けられた複数の光センサと、（ｂ）これら光センサの出力を加算する加算器と、（ｃ）この加算器の出力をＡ／Ｄ変換するＡ／Ｄ変換器と、（ｄ）このＡ／Ｄ変換器でのＡ／Ｄ変換周期を制御する変換周期発生回路とを具備することを特徴とする発光型表示パネルの発光輝度の自動調節装置。」と記載され、２ページ右上欄１行〜７行に「ＥＬマトリツクス表示パネルにおいて、外光輝度を検出し、該外光輝度に対する最適な発光輝度を算出し、その発光輝度となるように発光輝度を制御しようという試みが従来、・・・行われており」と記載されている。］に示されるように、従来周知である。
　また、刊行物３には、有効画面の外に位置する受光素子一体型のＴＦＴ液晶セルが示され、この液晶セルの内部に設けられた受光素子は、ＴＦＴと同一の材料を用い略同じ工程で形成されるものであり、本願補正発明の「フォトディテクタがディスプレイ上の入射した光の表示を検出するように構成され、前記フォトディテクタが、ディスプレイ上において、前記ディスプレイのピクセルと共に共通基板上に位置し、１つ又は複数の材料層において、前記ディテクタが、ディスプレイのピクセルと共に各材料層を分け合」う点の構成に相応する構成が示されているものと認められる。
　そうすると、上記のような受光素子の表示パネルに対する従来周知の配置、及び、刊行物３に示されるような受光素子の基板上への形成手法を知悉する当業者であれば、これらの事項を刊行物１記載の発明に適用して相違点２に係る構成とすることは、格別の推考力を要することとは認められない。
　
　そして、本願補正発明による効果も、刊行物１乃至３の記載並びに上記周知事項から当業者が予測しうる範囲内のものにすぎない。
　したがって、本願補正発明は、刊行物１乃至３記載の発明並びに周知事項に基づいて当業者が容易に発明をすることができたものであり、特許法第２９条第２項の規定により特許出願の際独立して特許を受けることができないものである。
　
（４）むすび
　以上のとおり、本件手続補正は、特許法第１７条の２第５項において準用する同法第１２６条第５項の規定に違反するものであるから、特許法第１５９条第１項において読み替えて準用する同法第５３条第１項の規定により却下すべきものである。
　
３．本願発明について
　平成１７年１月１１日付けの手続補正は、上記のとおり却下されたので、本願の請求項１乃至１２に係る発明は、平成１２年１１月２４日付け、及び、平成１６年８月１０日付け手続補正書により補正された明細書及び図面の記載からみて、その特許請求の範囲の請求項１乃至１２に記載された事項により特定されるものと認められるところ、その請求項１に係る発明（以下、「本願発明」という。）は、「２．（１）」の補正前の特許請求の範囲の請求項１に記載されたとおりのものである。
　
４．引用刊行物
　原査定の拒絶の理由に引用された引用刊行物及びその記載事項は、前記「２．（３−１）」に記載したとおりのものである。
　
５．対比・判断
　本願発明は、前記「２．」で検討した本願補正発明から、上記限定事項を省いたものである。
　そうすると、本願発明の構成要件を全て含み、さらに限定を付したものに相当する本願補正発明が、前記「２．（３−２）」に記載したとおり、刊行物１乃至３記載の発明並びに周知事項に基づいて当業者が容易に発明をすることができたものであるから、本願発明も、同様の理由により、当業者が容易に発明をすることができたものである。
　
６．むすび
　以上のとおりであるから、本願発明（請求項１に係る発明）は、特許法第２９条第２項の規定により特許を受けることができない。
　そして、本願の請求項１に係る発明が特許を受けることができないものであるから、その余の請求項に係る発明について検討するまでもなく、本願は拒絶すべきものである。
　よって、結論のとおり審決する。